(57)【要約】  本発明は、探索ビーム１７及び測定ビーム１８を発するレーザー測定装置１１と、第１可視送信ビームを発信する第１送信機を有する第１動的目標物１２と、第２可視送信ビームを発信する第２送信機を有する第２動的目標物１３と、を備える測量システム１０に関する。第２可視送信ビームの光色は、第１可視送信ビームの光色とは異なる。【選択図】図１
2016502087.tif 000002
【特許請求の範囲】
【請求項１】
探索ビーム（１７）及び測定ビーム（１８）を発信するレーザー測定装置（１１）と、
前記測定ビーム（１８）を反射する第１反射器（２１．１）と、前記探索ビーム（１７）を受信する第１受信機（２４．１）と、第１可視送信ビーム（３９．１）を発信する第１送信機（２６．１）と、前記受信した探索ビーム（１４）を識別し、前記送受信機（２４．１、２６．１）を制御する第１制御部（２７．１）と、を備える第１動的目標物（１２）と、
前記測定ビームを反射する第２反射器（２１．２）と、前記探索ビーム（１４）を受信する第２受信機（２４．２）と、第２可視送信ビーム（３９．２）を発信する第２送信機（２６．２）と、前記受信した探索ビーム（１４）を判断し、前記送受信機（２４．２、２６．２）を制御する第２制御部（２７．２）と、を備える第２動的目標物（１３）と、を備え、
前記第２可視送信ビーム（３９．２）の光色は、前記第１可視送信ビーム（３９．１）の光色とは異なる、
ことを特徴とする測量システム（１０）。
【請求項２】
反射器（２１．３）と、受信機（２４．３）と、別の可視送信ビーム（３９．３）を発信する送信機（２６．３）と、制御部（２７．３）と、を備える少なくとも１つの別の動的目標物（２０）が備えられ、前記少なくとも１つの別の可視送信ビーム（３９．３）の光色は、前記第１及び第２可視送信ビーム（３９．１、３９．２）の光色とは異なる、ことを特徴とする請求項１に記載の測量システム。
【請求項３】
前記可視送信ビーム（３９．１、３９．２、３９．３）の光色は、赤、橙、黄、緑、青及び紫の光色から選択され、特に、赤、緑及び青の光色から選択される、ことを特徴とする請求項１又は２に記載の測量システム。
【請求項４】
前記可視送信ビーム（３９．１、３９．２、３９．３）の光色は、赤、緑及び青の光色から選択される、ことを特徴とする請求項３に記載の測量システム。
【発明の詳細な説明】
【技術分野】
【０００１】
本発明は、請求項１に記載の動的目標物を備える測量システムに関する。
【背景技術】
【０００２】
レーザー測定装置は、目標点の距離及び方向（角度）を決定する目標点の測定に使用される。レーザー測定装置は、セオドライト、トータルステーション、水準儀やレーザースキャナーとして構成されることで知られている。レーザー測定装置は、目標点及び距離測定装置の間の距離を測定する距離測定装置と、角度を測定する角度測定装置と、を備える。目標点は、目標点に設置された目標物により測定される。目標物は、探索ビーム及び測定ビームを送信するレーザー測定装置を備える測量システムにおいて使用され、この探索ビーム及び測定ビームの波長が異なると都合が良い。測定ビームは、距離や角度を測定する等のレーザー測定装置の測定作業に使用され、探索ビームは、目標物の検出及び識別に使用される。探索ビーム及び測定ビームの役割が異なるため、探索ビームは、より広い空間領域を検知するために大きく展開される一方、焦点測定ビームは、測定作業に使用される。目標物は、レーザー測定装置の探索ビームを反射する静的目標物と、探索ビームを反射するのではなく、送信ビームを送信する動的目標物と、に分類される。動的目標物は、レーザー測定装置が、それらの波長の違いにより、反射面から反射した光線から送信ビームを区別することが出来るという利点を持つ。
【０００３】
特許文献１は、赤外線探索ビーム及び測定ビームを送信するレーザー測定装置のための動的目標物を開示している。目標物は、測定ビームを反射する少なくとも１つの反射素子を有する反射器と、赤外線探索ビームを受信する受信素子を有する受信機と、可視又は赤外線探索ビームを送信する送信素子を有する送信機と、受信した探索ビームを識別する評価素子及び送受信機を制御する制御素子を有する制御部と、を備える。この目標物の問題は、目標物同士の識別や区別が出来ないという点である。可視又は赤外線送信ビームは、測量システムにおける幾つかの目標物に対して同じ波長を持つ。
【先行技術文献】
【特許文献】
【０００４】
【特許文献１】欧州特許出願公開第１７３４３３６号明細書
【発明の概要】
【０００５】
本発明の目的は、レーザー測定装置及び複数の動的目標物を備える測量システムの開発であり、それらの目標物は、レーザー測定装置にて明確に特定可能であり、操作者が他の目標物から見分けられる。更に、目標物を識別するレーザー測定装置にかかる設備費が安価であることが好ましい。
【０００６】
この目的は、独立項に記載の測量システムに係る本発明により達成される。有効な詳細構成は従属項に記載する。
【０００７】
本発明によると、測量システムは、
探索ビーム及び測定ビームを送信するレーザー測定装置と、
測定ビームを反射する反射器と、探索ビームを受信する第１受信機と、第１可視送信ビームを発信する第１送信機と、受信した探索ビームを判断し、送受信機を制御する第１制御部と、を含む第１動的目標物と、
測定ビームを反射する第２反射器と、探索ビームを受信する第２受信機と、第２可視送信ビームを発信する第２送信機と、受信した探索ビームを識別し、送受信機を制御する第２制御部と、を含む第２動的目標物と、を備える。
【０００８】
可視送信ビームを用いる目標物の識別により、鏡面、安全ベスト、交通標識、ナンバープレート等の反射面による、一般的に赤外線レーザー光線として実装される探索ビームの不要な反射が検知されないという利点がある。有色可視送信ビームは、カメラユニットにより検知され、目標物は、カメラユニットの微分画像において識別される。更に、異なる有色可視送信ビームは、測量システムの操作者により、区別される。
【０００９】
「可視送信ビーム」という用語は、単一の可視レーザー光線、同時に送信されるが互いに離間している複数の可視レーザー光線及び連続的に送信される複数の可視レーザー光線のことである。複数のレーザー光線の場合、可視送信ビームは、互いに離間しているか、連続的に送信される複数部分の光線からなる。
【００１０】
測量システムは、反射器と、受信機と、別の可視送信ビームを発信する送信機と、制御部と、を含む少なくとも一つの別の動的目標物を備えるのが好ましく、この少なくとも一つの別の可視送信ビームの光色は、第１及び第２可視送信ビームの光色とは異なるのが好ましい。
【００１１】
可視送信ビーム及び／又は部分の可視光線の光色は、赤、橙、黄、緑、青及び紫から選択されるのが好ましい。６つの光色、赤、橙、黄、緑、青及び紫は、レーザー測定装置においても操作者においても、確実に区別することが出来る。可視スペクトル領域の波長は、おおよそ３８０ｎｍから７５０ｎｍの間である。可視スペクトルにおいて、６つの異なる光色、紫（３８０ｎｍから４２０ｎｍ）、青（４２０ｎｍから４９０ｎｍ）、緑（４９０ｎｍから５７５ｎｍ）、黄（５７５ｎｍから５８５ｎｍ）、橙（５８５ｎｍから６５０ｎｍ）及び赤（６５０ｎｍから７５０ｎｍ）は、識別できる。
【００１２】
可視送信ビーム及び／又は部分の可視光線の光色は、赤、緑及び青から選択されるのが好ましい。赤、緑、青色発光ダイオードは費用対効果が高く、商業的にも利用可能であるため、光色、赤、緑及び青は、可視送信ビームとして特に適している。
【００１３】
本発明の様態を、図面を参照して説明する。以下は、発明の様態を必ずしも正確な縮尺で表しておらず、図面は、発明の様態を説明する助けとして、むしろ概略的に及び／又は若干歪曲した形で描かれている。図面から直接的に明確な教示については、関連する従来技術を参照されたい。この場合、本発明は、本発明の一般的な概念を逸脱することなく、発明の特定の様態の形態や詳細について、様々な変形や修正が可能である。明細書、図面及び特許請求の範囲に記載の本発明の特徴は、個別に及び任意の組合せにおいて本発明の改良に必要となろう。明細書、図面及び／又は特許請求の範囲に記載の本発明の特徴の内、少なくとも２つの特徴の全ての組合せが、この発明の範囲内である。本発明の一般的な概念は、以下に図示及び記載する発明の好ましい特定の様態そのものやその細部に限定されるものでは無く、また、特許請求の範囲に係る発明と比較して限定された対象に限定されない。規定された測定範囲の場合、上記限定内の数値も限界値として採用されるはずであり、適宜使用可能及び請求可能である。便宜上、同一の参照符号が、同一又は同様の機能を持つ同一又は同様の部分を示すために以下で使用される。
【図面の簡単な説明】
【００１４】
【図１】レーザー測定装置、第１動的目標物及び第２動的目標物を備える本発明に係る測量システムを示す図である。
【図２】動的目標物の詳細な構成を示す図である。
【発明を実施するための形態】
【００１５】
図１は、レーザー測定装置１１、第１動的目標物１２及び第２動的目標物１３を備える本発明に係る測量システム１０を示す概略図である。図１の実施例において、目標物１２、１３は、伸縮ポール又は標尺に固定され、部屋の床に設置される。伸縮ポール又は標尺に固定される以外に、目標物は、壁や天井に固定されても良い。
【００１６】
レーザー測定装置１１は、レーザー測定部１４、カメラユニット１５及び制御部１６を備える。レーザー測定部１４は、第１光源及び第２光源を有し、第１光源は探索ビーム１７を送信し、第２光源は測定ビーム１８を発信する。探索ビーム１７は、測定環境内の目標物の認識及び識別に用いられる。探索ビーム１７が、測定環境内における操作者及び他の人の妨げにならないように、探索ビームは、赤外線探索ビームとして実装されることが多いが、他の波長も探索ビーム１７に適している。測定ビーム１８は、距離や角度を測定する等のレーザー測定装置１１の測定作業に使用されるが、測定ビーム１８は、目標物１２、１３の識別方法においては使用されない。探索ビーム１７及び測定ビーム１８の役割が異なるため、探索ビーム１７は、より広い空間領域を検知するために大きく展開される一方、焦点測定ビーム１８は、測定作業に使用される。
【００１７】
図２は、図１の本発明における測量システム１０のための動的目標物２０の構成を示す図である。目標物２０は、第１又は第２目標物１２、１３として、測量システム１０において用いられ得る。測量システム１０の第１及び第２目標物１２、１３のみならず別の目標物の構成要素をも区別するために、指数ｉを用いる。
【００１８】
目標物２０は、測定ビーム１８を反射する反射素子２２及び測定ビーム１８を指向する目標要素２３を有する反射器２１と、探索ビーム１７を受信する４つの受信素子２５を有する受信機２４と、可視送信ビームを発信する送信機２６と、制御部２７と、を備える。制御部２７は、受信した探索ビーム１７を識別する評価素子２８と、送受信機２４、２６を制御する制御素子２９と、を有する。
【００１９】
送信機２６は、赤、緑及び青の光色にて構築され得る４つの単色光源３１、３２、３３、３４を含む。光源３１、３２、３３、３４は、四角い目標物２０の四隅に設置される。第１光源３１は第１可視部分光線３５を発信し、第２光源３２は第２可視部分光線３６を発信し、第３光源３３は第３可視部分光線３７を発信し、そして、第４光源３４は第４可視部分光線３８を発信する。各目標物は、４つの可視部分光線３５、３６、３７、３８からなる明確な可視送信ビーム３９を発信する。これらの４つの部分光線３５、３６、３７、３８の全てをオンにする必要は無い。４つの光源３１、３２、３３、３４を用いることにより、３４=８１の目標物をそれぞれ識別し区別することが出来る。同じ光源の場合は、以下の目標物数が適用される。すなわち光源の色の数に光源数をべき乗数として計算される数である。
【図１】
2016502087.tif 000003
【図２】
2016502087.tif 000004
【国際調査報告】
2016502087.tif 000005
2016502087.tif 000006
2016502087.tif 000007
2016502087.tif 000008